(57)【要約】 【課題】  装置筐体内部を浮遊する微粒子が光学記録ディスクあるいは対物レンズへ付着することを防止するクリーニング装置を備えた光学記録再生装置を提供する。【解決手段】  ターンテーブル６と、光ヘッド装置９と、ターンテーブル６と光ヘッド装置９とが収納された装置筐体１とを備えた光学記録再生装置において、装置筐体１の内部を浮遊する微粒子１４に電荷を与えるイオン１６を発生させるイオン発生器１１と、帯電した微粒子１４と逆極性に帯電された集塵電極板４とから構成されるクリーニング装置を装置筐体１の内部に設けられている。【選択図】    図２
2005071502.tif 000002
【特許請求の範囲】
【請求項１】
光学記録ディスクを回転可能に保持するターンテーブルと、前記光学記録ディスクに対する情報記録および情報再生の少なくともいずれか一方を行う光ヘッド装置と、前記ターンテーブルと前記光ヘッド装置とが収納された装置筐体とを備えた光学記録再生装置において、
前記装置筐体内部を浮遊する微粒子と結びついて該微粒子に電荷を与えるイオンを発生させるイオン発生器と、帯電した前記微粒子と逆極性に帯電された集塵電極板とから構成されるクリーニング装置を前記装置筐体内部に備えることを特徴とする光学記録再生装置。
【請求項２】
前記集塵電極板は、前記装置筐体から取り外し可能に構成されていることを特徴とする請求項１記載の光学記録再生装置。
【発明の詳細な説明】
【技術分野】
【０００１】
本発明は、光学記録ディスクに情報を記録しあるいは光学記録ディスクに記録された情報を再生する光学記録再生装置に関する。更に、詳しくは、装置筐体内部を浮遊する微粒子が光学記録ディスクあるいは光学ヘッドに設けられた対物レンズへ付着することを防止するクリーニング装置を備えた光学記録再生装置に関する。
【背景技術】
【０００２】
従来、ＣＤやＤＶＤ等の光学記録ディスクに情報を記録しあるいは光学記録ディスクに記録された情報を再生する光学記録再生装置においては、光学記録ディスクあるいは光ヘッド装置に設けられた対物レンズに微粒子が付着し汚れが発生すると、光学的な記録、再生性能が劣化することから、上記光学記録ディスクあるいは対物レンズのクリーニングが行われている。例えば、光学記録ディスクに微粒子が付着した場合、光学記録再生装置から光学記録ディスクを取り出した後に柔らかい布等で拭きとることで、光学記録ディスクのクリーニングが行われている。あるいは、対物レンズに微粒子が付着して光学的な読み取りに支障を来たすような場合には、綿棒で対物レンズに付着した微粒子を直接ふき取るか、あるいは微粒子除去のためのブラシなどを回転するディスクに形成したクリーニングディスクを用いること等により、対物レンズのクリーニングが行われている。
【０００３】
また、対物レンズをクリーニングする方法としては、上記の他に光触媒を用いるもの（例えば、特許文献１参照）、対物レンズ駆動装置の振動を用いるもの（例えば、特許文献２参照）、ファンにより形成される空気流を用いるもの（例えば、特許文献３参照）等が知られている。さらに、光学記録ディスクをクリーニングする方法としては上記の他に、光触媒を用いるものが知られている（例えば、特許文献４参照）。
【０００４】
【特許文献１】特開２００２−７４７１７号公報
【特許文献２】特開２００２−１５４４７号公報
【特許文献３】特開平９−２８２６９４号公報
【特許文献４】特開平１１−１９５２４４号公報
【発明の開示】
【発明が解決しようとする課題】
【０００５】
しかし、上述したクリーニング方法は光学記録ディスクあるいは対物レンズに微粒子が付着し汚れが発生した後に、その汚れを取り除くもので、光学記録再生装置の筐体内部に浮遊する微粒子の光学記録ディスクあるいは対物レンズへの付着自体を防止する方法は提案されていない。
【０００６】
そこで、本発明は、装置筐体内部を浮遊する微粒子が光学記録ディスクあるいは対物レンズへ付着することを防止するクリーニング装置を備えた光学記録再生装置を提供することを目的とする。
【課題を解決するための手段】
【０００７】
上記目的を達成するために、本発明にかかる光学記録再生装置は請求項１記載のように、光学記録ディスクを回転可能に保持するターンテーブルと、前記光学記録ディスクに対する情報記録および情報再生の少なくともいずれか一方を行う光ヘッド装置と、前記ターンテーブルと前記光ヘッド装置とが収納された装置筐体とを備えた光学記録再生装置において、前記装置筐体内部を浮遊する微粒子と結びついて該微粒子に電荷を与えるイオンを発生させるイオン発生器と、帯電した前記微粒子と逆極性に帯電された集塵電極板とから構成されるクリーニング装置を前記装置筐体内部に備えることを特徴とする。
【０００８】
本発明にかかる光学記録再生装置は、上述のように、装置筐体内部を浮遊する微粒子と結びついて微粒子に電荷を与えるイオンを発生させるイオン発生器と、帯電した微粒子と逆極性に帯電された集塵電極板とから構成されるクリーニング装置を装置筐体内部に備えている。従って、イオン発生器から発生されたイオンと結びついて帯電された微粒子は、ターンテーブルの回転により生じる気流の影響と電気的吸引力とにより、逆極性に帯電された集塵電極板に吸着される。そのため、装置筐体内部を浮遊する微粒子の光学記録ディスクあるいは対物レンズへの付着を防止することができる。
【０００９】
また、本発明にかかる光学記録再生装置は、請求項２に記載のように、前記集塵電極板が、前記装置筐体から取り外し可能に構成されていることが好ましい。このように、集塵電極板を装置筐体から取り外し可能にすることで、装置筐体の外部で集塵電極板の洗浄が可能となる。従って、集塵電極板の洗浄が容易になり、集塵電極板を容易に清浄状態に保つことができるようになる。
【発明の効果】
【００１０】
以上のように、本発明にかかる光学記録再生装置は、装置筐体内部にイオン発生器と集塵電極板とから構成されるクリーニング装置を装置筐体内部に備えていることから、装置筐体内部を浮遊する微粒子の光学記録再生ディスクあるいは対物レンズへの付着を防止することができる。従って、光学記録再生装置における光学的な記録、再生性能の劣化を防止することができる。
【発明を実施するための最良の形態】
【００１１】
以下、本発明を図面に示す実施の形態に基づいて説明する。
【００１２】
図１は、本発明を適用した光学記録再生装置を示す斜示図である。また、図２は、図１に示された光学記録再生装置の装置筐体内部の概略構成を示す概略構成図である。
【００１３】
本実施形態にかかる光学記録再生装置は、ＣＤやＤＶＤ等の光学記録ディスク５を回転可能に保持するターンテーブル６と、光学記録ディスク５に対する情報記録や情報再生を行う光ヘッド装置９と、ターンテーブル６と光ヘッド装置９とが収納された装置筐体１とを備えている。装置筐体１の内部には、イオン発生器１１と集塵電極板４とから構成されるクリーニング装置が設けられている。
【００１４】
装置筐体１は、略直方体状に形成され、その前面に光学記録ディスク５を装置内部へ挿入しまた、装置内部に挿入された光学記録ディスク５を装置外部へ排出するディスク挿入口２を備えている。また、装置筐体１の前面には、光学記録ディスク５の排出、情報記録・情報再生の開始、停止などの操作をつかさどる操作ボタン３が配置されている。
【００１５】
ターンテーブル６は、例えば、装置筐体１にネジ等の固定手段で固定されたスピンドルモータの回転側部材の一部として構成され、光学記録ディスク５を保持するチャッキング機構等が設けられている。
【００１６】
光ヘッド装置９は、光源としてのレーザダイオードやこのレーザダイオードから出射光を光学記録ディスク５の情報面に収束させる対物レンズ１０等から構成される光学系や、対物レンズ１０をトラッキング方向、フォーカシング方向に駆動する対物レンズ駆動装置等を備えて構成されている。光ヘッド装置９は、装置筐体１にガイド軸固定片８で固定されたガイド軸７に沿って光学記録ディスク５の半径方向（トラッキング方向）に摺動可能となるように構成されている。
【００１７】
イオン発生器１１の構成は公知の構成であるため、詳細な構成の説明は省略する。イオン発生器１１は図示を省略する電源としての直流高圧電源１２に接続されており、直流高圧電源１２のマイナス電極側に接続された放電電極板１３が、イオン発生器１１の内部に配置されている（図３参照）。また、イオン発生器１１はネジなどの固定手段を用いて装置筐体１に固定されており、装置筐体１の後面側の角部近傍に配置されている。直流高圧電源１２は、同じくネジなどの固定手段により装置筐体１に固定されている。
【００１８】
集塵電極板４は、導電性を有する金属板、例えば銅板から形成されている。集塵電極板４は集塵性を高めるため、その表面粗度が大きくなるように形成されている。尚、集塵電極板４の集塵性を高めるためには表面粗度を大きくするほか、集塵電極板４の表面に網状のものを取りつけることにより、表面を二重構造としても良い。
【００１９】
また、集塵電極板４は、図示を省略するローラやレール等から構成されるスライド手段を介して装置筐体１に取付られており、上記スライド手段を用いて装置筐体１の前面側から引き出し可能に構成されている。尚、集塵電極板４は、上述したイオン発生器１１とは装置筐体１内において略対角線上に配置されている。スライド手段を用いて装置筐体１から引き出された集塵電極板４は、さらに、スライド手段から取り外し可能に構成されており、集塵電極板４はスライド手段から取り出された状態でその洗浄が行われる。また、集塵電極板４は、直流高圧電源１２のプラス電極側に接続されており（図３参照）、イオン発生器１１から発生されるイオン１６とは逆極性に帯電するように構成されている。
【００２０】
以上のように構成された本実施形態における光学記録再生装置において、装置筐体１の内部を浮遊する微粒子１４が集塵電極板４に吸着される原理を図３を用いて説明する。直流高圧電源１２が通電されることでイオン発生器１１からマイナスに帯電したイオン１６が放出される。放出されたイオン１６は装置筐体１の内部を浮遊する微粒子１４と結びつき、微粒子１４にマイナスの電荷を与える。一方、直流高圧電源１２が通電されることで、集塵電極板４はプラスに帯電する。ここで、光学記録ディスク５は、ターンテーブル６によって図２において反時計方向に回転されられているため、装置筐体１の内部には反時計方向に気流が生じる。この気流の影響及び、マイナスの帯電した微粒子１４とプラスに帯電した集塵電極板４との電気的吸引力により、微粒子１４は集塵電極板４に吸着される。
【００２１】
集塵電極板４に吸着された微粒子１４は吸着微粒子１５として、集塵電極板４とともに装置筐体１から取り出される。集塵電極板４は装置筐体１から取り出された状態でその洗浄が行われ、吸着微粒子１５は取り除かれることになる。
【００２２】
本実施形態にかかる光学記録再生装置は上述のように、装置筐体１の内部を浮遊する微粒子１４と結びついてマイナスの電荷を与えるイオン１６を発生させるイオン発生器１１と、プラスに帯電された集塵電極板４とから構成されるクリーニング装置を装置筐体１内に備えている。従って、イオン発生器１１から発生されたイオン１６と結びついてマイナスに帯電された微粒子１４は、ターンテーブル６の回転に伴う光学記録ディスク５の回転により生じた気流の影響と電気的吸引力とにより、プラスに帯電された集塵電極板４に吸着される。そのため、装置筐体１内部を浮遊する微粒子１４の光学記録ディスク５あるいは対物レンズ１０への付着を防止することができる。
【００２３】
さらに、本実施形態においては、スライド手段を介して集塵電極板４を装置筐体１から取り外すことが可能となるように構成されている。従って、集塵電極板４を装置筐体１から取り外してその洗浄ができる。そのため、集塵電極板４の洗浄が容易になり、集塵電極板４を容易に清浄状態に保つことができるようになる。
【００２４】
上述した実施形態は本発明を適用した好適な形態の一例ではあるが、これに限定されるのもではなく、本発明の要旨を逸脱しない範囲で種々変形可能である。例えば、上記の実施形態においては、イオン発生器１１からマイナスイオンを発生させるとともに集塵電極板４をプラスに帯電したが、イオン発生器１１からプラスイオンを発生させるとともに集塵電極板４をマイナスに帯電しても良い。
【００２５】
また、上述した実施形態においては、イオン発生器１１と集塵電極板４とを同一の直流高圧電源１２に接続したが、イオン発生器１１から発生するイオンの極性と集塵電極板４に帯電する極性とが逆極性となるように別々の直流高圧電源に接続しても良い。
【図面の簡単な説明】
【００２６】
【図１】本発明を適用した光学記録再生装置を示す斜視図である。
【図２】図１に示された光学記録再生装置の装置筐体内部の概略構成を示す概略構成図である。
【図３】図１に示された光学記録再生装置における装置筐体の内部を浮遊する微粒子が集塵電極板に吸着される原理を示した原理説明図である。
【符号の説明】
【００２７】
１    装置筐体
４    集塵電極板
５    光学記録ディスク
６    ターンテーブル
９    光ヘッド装置
１０  対物レンズ
１１  イオン発生器
１４  微粒子
１６  イオン
【図１】
2005071502.tif 000003
【図２】
2005071502.tif 000004
【図３】
2005071502.tif 000005